(57)【要約】【課題】  後ろから話しかけるとあたかもパペットが話しているかのように変化した声が出るような構成のボイスチェンジャーパペットを提供する。【解決手段】  パペット本体１は、頭部２及びこの頭部に繋がり操作する人の手がその裾から挿入されるように構成された胴部３を有する。頭部２にはマイク１１、声変換器１２及び発声部１３を有するボイスチェンジャー１０が収納され手いる。パペット本体の頭部は口部及び後頭部を有し、後頭部には収納部が形成されており、この収納部にはボイスチェンジャーが収納されている。パペットに後ろから話しかけるとあたかもパペットが話しているかのように変化した声が出る。【選択図】  図１
0003101593.tif 000002
【実用新案登録請求の範囲】
【請求項１】
頭部及び前記頭部に繋がり操作する人の手がその裾から挿入されるように構成された胴部を有するパペット本体と、マイク、声変換器及び発声部を有するボイスチェンジャーとを具備し、前記パペット本体の前記頭部は口部及び後頭部を有し、前記後頭部には収納部が形成されており、この収納部には前記ボイスチェンジャーが収納されていることを特徴とするボイスチェンジャーパペット。
【請求項２】
前記マイクは、前記収納部から露出していることを特徴とする請求項１に記載のボイスチェンジャーパペット。
【請求項３】
前記頭部には、前記ボイスチェンジャーを駆動する電源が収納され、この電源を接離するスイッチが前記頭部から露出するように収納されていることを特徴とする請求項１又は請求項２に記載のボイスチェンジャーパペット。
【請求項４】
前記ボイスチェンジャーの発声部は、前記口部の近傍に配置されていることを特徴とする請求項１乃至請求項３のいずれかに記載のボイスチェンジャーパペット。
【考案の詳細な説明】
【技術分野】
【０００１】
本考案は、パペットに係り、とくに後ろから話しかけるとあたかもパペットが話しているかのように使用している人の変化した声の出る構造を有するパペットに関するものである。
【背景技術】
【０００２】
従来パペットといわれる人形は、基本的には頭部とこの頭部に繋がる胴部から構成されている。頭部は、動物、干支、怪獣等の形をしており、口、耳、目等を備えている。胴部には、通常手が取り付けられており、場合によっては尻尾などが付加され、操作する人の手がその胴部の裾から挿入して人形を操作するように構成されている。特定の言葉を発する発声器などを頭部の口部付近に装着して手の操作により発声するように構成された人形も知られている。また、従来から発声部、声変換器及びマイクを有するボイスチェンジャーも知られている。マイク（受声部）に口を近付けて話をすると、変化した声が発声部から出るように構成されている。また、ボイスチェンジャーについては、例えば、特許文献１に記載されている。
【特許文献１】特開平１０−２２２１８５号公報
【考案の開示】
【考案が解決しようとする課題】
【０００３】
しかし、従来のパペットは、発声装置は、付いておらず、例え付いていても、後ろから話しかけるとあたかもパペットが話しているかのように声が出るようにはなっておらず、人の手の操作で動かし、自身の通常の声で発声するような構成になっているのが精々である。
本考案は、このような事情によりなされたものであり、後ろから話しかけるとあたかもパペットが話しているかのように変化した声が出るような構成のパペットを提供するものである。
【課題を解決するための手段】
【０００４】
本考案は、後ろから話しかけるとあたかもパペットが話しているかのように変化した声が出るような構成を得ることを目的にして、頭部及びこの頭部に繋がり操作する人の手がその裾から挿入されるように構成された胴部を有するパペット本体と、マイク、声変換器及び発声部を有するボイスチェンジャーとを具備し、パペット本体の頭部は口部及び後頭部を有し、後頭部には収納部が形成されており、この収納部にはボイスチェンジャーが収納されているボイスチェンジャーパペットに特徴がある。ボイスチェンジャーを構成するマイクは、ボイスチェンジャーが収納された収納部から露出しているように構成されていてもよい。頭部には、ボイスチェンジャーを駆動する電源が収納され、この電源のオンオフスイッチが頭部から露出するように収納されているようにしても良い。ボイスチェンジャーの発声部は、口部近傍に配置されているようにしても良い。
【考案の効果】
【０００５】
本考案は、パペットに後ろから話しかけるとあたかもパペットが話しているかのように変化した声を出すことができる。
【考案を実施するための最良の形態】
【０００６】
以下、実施例を参考して発明の実施の形態を説明する。
【実施例１】
【０００７】
図１乃至図３を参照して実施例１を説明する。
図１は、ボイスチェンジャーパペットとこれを操作する人の概略模式図、図２は、本考案に用いられる頭部の形の例を示す正面図、図３は、ボイスチェンジャー概略構成図である。
【０００８】
この実施例に示されるボイスチェンジャーパペットは、ボイスチェンジャー１０を有するパペット本体１からなり、パペット本体１は、図１に示されるように、基本的には頭部２とこの頭部に繋がる胴部３から構成されている。頭部２は、動物、干支、怪獣等の形をしており、口、耳、目等を備えている。図１ではカエルの形をしている。胴部３には、通常手が取り付けられており、場合によっては尻尾なども付加される。操作する人は、手を胴部３の裾から内部に挿入して操作する。この実施例で用いる頭部の形は、カエル（図２（ｂ））であるが、図２に示すように、牛（図２（ａ））、さる（図２（ｃ））、パンダ（図２（ｄ））などが用いられる。本発明は、これらに限るものではなく、前述した動物、干支、怪獣等の範疇から選択されたどのような形も適用することができる。
【０００９】
従来、パペットは、特定の言葉を発する発声器などを頭部に装着して操作する人の手を動かすことにより発声するように構成したものが知られている。しかし、このパペットは、後ろから話しかけるとあたかもパペットが話しているかのように変化した声を出すことができる。そのために、考案者は、このパペットにボイスチェンジャー１０を内臓させる。ボイスチェンジャー１０は、図３に示すように、マイク１１、声変換器１２、発声部１３を備え、電池などの電源１４により駆動される。ボイスチェンジャー１０を駆動する電源１４は、スイッチによって接離（オンオフ）される。
【００１０】
図１に示すように、ボイスチェンジャー１０は、頭部２に形成された収納部に収納されている。但し、マイク１１は、収納部から露出している。ボイスチェンジャー１０に付随するスイッチ１５は、外部に露出しており、電源１４は、収納部内に埋め込まれている。スイッチ１５を入れて電源１４をボイスチェンジャー１０に入れてから、操作する人がマイク１１に向かって発声すると、頭部２の口からはボイスチェンジャー１０によって変化した声が出てくる。
以上のように、本考案のパペットは、マイクに口を近付けて話をすると、変化した声が発声部から出るように構成されている。
【産業上の利用可能性】
【００１１】
以上、本考案のパペットは、操作する人の声に対応して変化した声を発声させることができるのでその応用範囲が広い。
【図面の簡単な説明】
【００１２】
【図１】本考案のボイスチェンジャーパペットとこれを操作する人の概略模式図。
【図２】本考案に用いられるパペットの頭部の形の例を示す正面図。
【図３】本考案に用いられるボイスチェンジャー概略構成図。
【符号の説明】
【００１３】
１      パペット本体
２      頭部
３      胴部
１０    ボイスチェンジャー
１１    マイク
１２    声変換器
１３    発声部
１４    電源
１５    スイッチ
【図１】
0003101593.tif 000003
【図２】
0003101593.tif 000004
【図３】
0003101593.tif 000005